(57)【特許請求の範囲】
【請求項１】
中央部（Ｓ）で折曲げられて、内燃機関を構成するシリンダカバー（１１）に形成された流体通路孔（１９）の表裏両側面周辺部を覆う一枚のシート部材（１）からなり、該シート部材（１）の折曲げられたそれぞれの両側片（１ａ，１ｂ）に前記シリンダカバー（１１）の前記流体通路孔（１９）及び該流体通路孔（１９）の周辺部に形成された取付孔（２０）に適合する適合孔（１９ａ，２０ａ）が設けられてなることを特徴とするガスケット。
【発明の詳細な説明】
【０００１】
【発明の属する技術分野】
本発明は、組み立て作業性の向上を図り、正確な組み付けが可能であり、誤組み、脱落、組み忘れ等を防止できるガスケットに関する。
【０００２】
【従来の技術】
従来、内燃機関において、流体通路を構成する部品間のシール部材として、所謂ガスケットが使用されている。従来は、前記各部品間に独立状態のガスケットを個々に介在させていた。
【０００３】
したがって、部品点数及び組み付け工数が多くなるとともに、正確な組み付けに手数を要し、組み立て時の作業性に問題が残るとともに、さらに、誤組み、脱落、組み忘れ等のおそれがあった。
【０００４】
【発明が解決しようとする課題】
本発明は、前記事情に鑑み為されたもので、部品点数の削減、組み付けの容易化及び工数の低減化により作業性の向上を図り、さらに、誤組み、脱落、組み忘れ等の防止を図った内燃機関に用いられるガスケットを提供することを目的とする。
【０００５】
【課題を解決するための手段】
前記目的を達成するため、本発明のガスケットは、中央で折曲げられて、内燃機関を構成するシリンダカバーに形成された流体通路孔の表裏両側面部を覆う一枚のシート部材からなり、該シート部材の折曲げられたそれぞれの両側片に前記シリンダカバーの前記流体通路孔及び該流体通路孔の周辺部に形成された取付孔に適合する適合孔がそれぞれ設けられた構成としたものである。
【０００６】
前記構成によれば、必要とするガスケットの数が従来の２分の１となるため、部品点数が削減され、また、従来は別々に行う必要があった二枚のガスケットの組み付けが、同時作業の一回ですむため、工数が低減され、誤組み、脱落、組み忘れ等もまた防止される。
【０００７】
さらに、従来の部品形状に適合させたガスケットと異なり、組み付け時に折曲げ部等が外部に露出して視認できることになり、その点においても誤組み、脱落、組み忘れ等が防止される。
【００１０】
以下に、本発明の実施の一形態を図面に基づいて説明する。図１は本発明を用いた内燃機関の分解斜視図、図２は本発明の実施の一形態のガスケットの使用前の形態を示す正面図、図３は図２に示したガスケットのシリンダカバーへの装着過程を示す斜視図、図４は図２に示したガスケットの他の装着状態を示す要部縦断面図である。
【００１１】
図１において、１０はピストン、クランクシャフト及び点火装置等を省略した小型空冷２サイクルエンジンのシリンダ、１１は断風、断熱を兼ねて設けられた板材成形部品である板金製のシリンダカバー、１２はマフラー、１３は気化器、１４はエアクリーナ、１５はインテークインシュレータ、１６はエアクリーナシール、１７はガスケットである。また、図中、１８は前記シリンダ１０の一側に形成された混合気吸入口であり、図示しないが他側には前記マフラー１２が接続される排気口が形成されている。
【００１２】
さらに、組み付け状態で前記シリンダカバー１１の前記シリンダ１０の前記混合気吸入口１８と対向する位置には、混合気を通過せしめるための通孔である流体通路孔１９のほか、前記気化器１３や前記マフラー１２等を前記シリンダ１０に図示しないボトル等で固着せしめるための取付孔２０が打ち抜き加工等により形成され、同様に、前記シリンダ１０の排気口（図示せず）と対向する位置には、前記マフラー１２の排気入口１２ａに接続される流体通路孔１９のほか、取付孔２０が打ち抜き加工等により形成されている。
【００１３】
そして、従来は、前記シリンダ１０の前記吸入口１８部に、予め用意された一枚のガスケットを介して、前記シリンダカバー１１の前記流体通路孔１９の内（裏）側面が適合させられ、さらに前記流体通路孔１９の外（表）側面には、予め用意されたもう一枚のガスケットを介して、前記インテークインシュレータ１５、前記気化器１３、前記エアクリーナ１４、前記ガスケット１７等が順次取り付けられていた。
【００１４】
すなわち、従来は、前記シリンダカバー１１の前記流体通路孔１９の表裏両側面に、それぞれ別体に分離成形された一枚ずつのガスケットを、個々に介在させていた。
【００１５】
前記構成は、前記シリンダカバー１１の排気口と対向する前記流体通路孔１９部も同様であるが、前記排気口側の前記流体通路孔１９部で使用されるガスケットは、一般に、断熱、耐熱性等を考慮して、比較的肉厚の素材が使用されている。
【００１６】
前記のごとく、従来のガスケットの組み付けは、前記シリンダカバー１１に形成された前記流体通路孔１９のそれぞれ内側面及び外側面において個々に行わなければならず、したがって、前記流体通路孔１９及び前記取付孔２０との適合及び組み付けに、きわめて手数を要するものであった。
【００１７】
特に、前記シリンダカバー１１の内側面と前記シリンダ１０の前記吸入口１８間及び前記シリンダカバー１１の内側面と前記シリンダ１０の前記排気口間へのガスケットの組み付けには手数を要し、糊を使用して仮付けすることも行われている。さらに糊を使用した仮付け後のガスケット脱落に気がつかず、組み付け完了としてしまったり、また、組み付け忘れの問題も残されていた。
【００１８】
前記ガスケットの脱落、組み付け忘れは、混合気や排気ガス等の流体漏れの原因となり、内燃機関の不調にとどまらず、故障、事故等の原因となるものであった。
【００１９】
そこで、本発明では、図面に示した、一実施の形態のごとく、前記シリンダカバー１１に構成された前記流体通路孔１９の表裏両側面部を、それぞれ中央部Ｓで折り曲げた一枚のシート部材１で覆い、ガスケットＧとするものである。
【００２０】
すなわち、本発明のガスケットＧは、一枚のシート部材１が、図２及び図３に示すごとく、中央部Ｓで折曲げられ、折曲げられたその両側片１ａ，１ｂが、前記シリンダカバー１１の下端１１ａ側から前記流体通路孔１９部に装着され、該流体通路孔１９の表裏両側面周辺部、具体的には、前記流体通路孔１９及び該流体通路孔１９の周辺部に形成される取付孔部を覆う大きさに予め成形される。
【００２１】
そして、前記シート部材１の折曲げられたそれぞれの前記両側片１ａ，１ｂに、前記シリンダカバー１１の前記流体通路孔１９及び該流体通路孔１９の周辺部に形成された前記取付孔２０に適合する適合孔１９ａ及び２０ａが設けられる。すなわち、前記中央部Ｓの両側対称位置にそれぞれ前記適合孔１９ａ及び２０ａが設けられる。
【００２２】
前記と同様の構成は、断熱、耐熱性等の要求から肉厚素材が使用される前記排気口側であっても、適用が可能である。
【００２３】
前記構成のシート部材１からなる本実施の形態のガスケットＧは、前記シリンダカバー１１の下端１１ａ側から前記流体通路孔１９部に装着される。すなわち、図３に示す実施の一形態では、前記シリンダカバー１１の下方から差し込むようにして装着している。
【００２４】
前記の如く装着することにより、前記シリンダカバー１１の前記流体通路孔１９と前記シート部材１の前記適合孔１９ａ、及び前記シリンダカバー１１の前記取付孔２０と前記シート部材１の前記適合孔２０ａが、それぞれ適合させられる。
【００２５】
なお、前記二つ折り使用の本発明のガスケットＧは、作業性、その他を考慮して、前記シリンダカバー１１の横方向から装着するように構成することも可能且つ容易である。すなわち、横方向からの装着に合わせて、予め、前記適合孔１９ａ及び２０ａの打ち抜き加工を施せばよい。
【００２６】
図４には、他の実施の一形態が示されている。この実施の一形態は、部品、例えば、シリンダカバー１１に設けられた流体通路孔１９の上辺に近接させて、前記ガスケットＧを構成するシート部材３を挿通自在な幅を有するスリット２１を設け、該スリット２１部に前記シート部材１の一側片を挿通することにより、両側片１ａ，１ｂを前記流体通路孔１９の表裏両側面に垂下させるものである。
【００２７】
この実施の一形態によれば、前記流体通路孔１９が、例えば、前記シリンダカバー１１の下端１１ａから大きな寸法Ｌで離れた中央部に形成されている場合などに、前記ガスケットＧを不必要に大型に成形する必要がなく、しかもその装着及び保持にに手数を要することがない。
【００２８】
前記のごとく、ガスケットＧは、一枚のシート部材を二つ折りにして装着するため、作業時の取扱がきわめて容易である。
【００２９】
【発明の効果】
本発明のガスケットによれば、部品点数の削減、組み付けの容易化及び工数の低減により、作業性の向上を図ることができ、さらに誤組み、脱落、組み忘れ等の防止効果が得られる。
【図面の簡単な説明】
【図１】  本発明を用いた内燃機関の分解斜視図である。
【図２】  本発明の実施の一形態のガスケットの使用前の状態を示す正面図である。
【図３】  図２に示したガスケットのシリンダカバーへの装着過程を示す斜視図である。
【図４】  図２に示したガスケットの他の装着状態を示す要部拡大断面図である。
【符号の説明】
１    シート部材
１ａ，１ｂ    両側片
１１    シリンダカバー
１９    流体通路孔
１９ａ    適合孔
２０      取付孔
２０ａ    適合孔
Ｓ        中央部
【図１】
0003927335.tif 000002
【図２】
0003927335.tif 000003
【図３】
0003927335.tif 000004
【図４】
0003927335.tif 000005